【手続補正書】
【提出日】平成20年1月24日(2008.1.24)
【手続補正１】
【補正対象書類名】特許請求の範囲
【補正対象項目名】全文
【補正方法】変更
【補正の内容】
【特許請求の範囲】
【請求項１】
所定のアスペクト比である複数の画像を記録する記録手段と、
前記所定のアスペクト比よりも大きいワイドアスペクト比の表示画面を有する表示手段と、
前記記録手段に記録されている複数の画像の中から１つを選択する選択手段と、
前記選択手段により選択された画像を、前記表示画面上に設定された所定のアスペクト比の主表示領域に表示するとともに、前記選択された画像の前及び又は後の画像を、前記表示画面上の残りの表示領域に設定された前記主表示領域よりも小さい副表示領域に表示する表示制御手段と、
を備えたことを特徴とする画像表示装置。
【請求項２】
前記前及び又は後の画像は、その一部が表示されることを特徴とする請求項１記載の画像表示装置。
【請求項３】
前記前及び又は後の画像は、縮小されて画像の全体が表示されることを特徴とする請求項１又は２に記載の画像表示装置。
【請求項４】
前記表示制御手段は、前記選択した画像の前の画像と後の画像とを、前記表示画面上の、該選択した画像の両側に分けて表示することを特徴とする請求項１乃至３の何れか１項に記載の画像表示装置。
【請求項５】
前記表示制御手段は、前記選択した画像の前及び又は後の画像を、前記表示画面上の、該選択した画像の片側に複数枚表示することを特徴とする請求項１乃至３の何れか１項に記載の画像表示装置。
【請求項６】
前記表示制御手段は、前記選択した画像の前及び又は後の画像を、前記表示画面上に複数枚表示するとともに、複数のサイズで表示することを特徴とする請求項１乃至３の何れか１項に記載の画像表示装置。
【請求項７】
前記表示画面上に、前記選択手段により選択された画像を表示する前記主表示領域及び前記選択された画像の前及び又は後の画像を表示する副表示領域のそれぞれの位置及び又は大きさを設定する表示領域設定手段を備えたことを特徴とする請求項１乃至６のいずれか１項に記載の画像表示装置。
【請求項８】
被写体を撮影して所定のアスペクト比の画像を得る撮像手段を備え、
この撮像手段で得た画像を前記記録手段に記録させる
ことを特徴とする請求項１乃至７の何れか１項に記載の画像表示装置。
【請求項９】
前記記録手段は、前記撮影手段で得た画像と、該画像を第１の縮小率で縮小して得られた第１縮小画像と、該画像を該第１の縮小率より縮小した第２の縮小率で縮小して得られた第２縮小画像とを関連付けて記録し、
前記表示制御手段は、前記記録手段に記録されている画像の中から選択した画像の前記第１縮小画像を、前記表示画面上の前記主表示領域に表示するとともに、前記選択された画像の前及び又は後の画像の第２縮小画像を、前記表示画面の副表示領域に表示することを特徴とする請求項８に記載の画像表示装置。
【請求項１０】
前記記録手段は、前記撮影手段で撮影した画像と、その縮小画像であるサムネイルとを関連付けて記録し、
前記表示制御手段は、前記記録手段に記録されている画像の中から選択した画像を、前記表示画面上の前記主表示領域に表示するとともに、前記選択された画像の前及び又は後の画像の前記サムネイルを、前記表示画面の副表示領域に表示することを特徴とする請求項９に記載の画像表示装置。
【請求項１１】
前記表示画面上に表示されている複数の画像をスクロール表示させるスクロール制御手段を備えていることを特徴とする請求項１乃至１０のいずれか１項に記載の画像表示装置。
【請求項１２】
前記スクロール制御手段は、前記表示画面上で左右方向に並んで表示されている複数の画像を左右方向にスクロール表示させることを特徴とする請求項１１に記載の画像表示装置。
【請求項１３】
前記スクロール制御手段は、前記表示画面上で上下方向に並んで表示されている複数の画像を上下方向にスクロール表示させることを特徴とする請求項１１に記載の画像表示装置。
【請求項１４】
所定のアスペクト比である複数の画像を記録する記録手段と、前記所定のアスペクト比よりも大きいワイドアスペクト比の表示画面を有する表示手段と、前記記録手段に記録されている複数の画像の中から１つを選択する選択手段と、を備える画像表示装置の画像表示方法であって、
前記選択手段により選択された画像を、前記表示画面上に設定された所定のアスペクト比の主表示領域に表示するとともに、前記選択された画像の前及び又は後の画像を、前記表示画面上の副表示領域に設定された前記主表示領域よりも小さい副表示領域に表示する表示制御工程、
を備えたことを特徴とする画像表示方法。
【請求項１５】
前記前及び又は後の画像は、その一部が表示されることを特徴とする請求項１４記載の画像表示方法。
【請求項１６】
前記前及び又は後の画像は、縮小されて画像の全体が表示されることを特徴とする請求項１４又は１５に記載の画像表示方法。
【請求項１７】
前記表示制御工程は、前記選択した画像の前の画像と後の画像とを、前記表示画面上の、該選択した画像の両側に分けて表示することを特徴とする請求項１４乃至１６の何れか１項に記載の画像表示方法。
【請求項１８】
前記表示制御工程は、前記選択した画像の前及び又は後の画像を、前記表示画面上の、該選択した画像の片側に複数枚表示することを特徴とする請求項１４乃至１６の何れか１項に記載の画像表示方法。
【請求項１９】
前記表示制御工程は、前記選択した画像の前及び又は後の画像を、前記表示画面上に複数枚表示するとともに、複数のサイズで表示することを特徴とする請求項１４乃至１６の何れか１項に記載の画像表示方法。
【請求項２０】
前記画像表示装置は、被写体を撮影して所定のアスペクト比の画像を得る撮像手段を備え、
前記記録手段は、前記撮影手段で得た画像と、該画像を第１の縮小率で縮小して得られた第１縮小画像と、該第１の縮小率より縮小率の大きい第２の縮小率で縮小して得られた第２縮小画像とを関連付けて記録し、
前記表示制御工程は、前記記録手段に記録されている画像の中から選択した画像の前記第１縮小画像を、前記表示画面上の前記主表示領域に表示するとともに、前記選択された画像の前及び又は後の画像の第２縮小画像を、前記表示画面の副表示領域に表示することを特徴とする請求項１９に記載の画像表示方法。
【請求項２１】
前記記録手段は、前記撮影手段で撮影した画像と、その縮小画像であるサムネイルとを関連付けて記録し、
前記表示制御工程は、前記記録手段に記録されている画像の中から選択した画像を、前記表示画面上の前記主表示領域に表示するとともに、前記選択された画像の前及び又は後の画像の前記サムネイルを、前記表示画面の副表示領域に表示することを特徴とする請求項２０に記載の画像表示方法。
【請求項２２】
前記表示画面上に表示されている複数の画像をスクロール表示させるスクロール制御工程を備えていることを特徴とする請求項１３乃至２１のいずれか１項に記載の画像表示方法。
【請求項２３】
前記スクロール制御工程は、前記表示画面上で左右方向に並んで表示されている複数の画像を左右方向にスクロール表示させることを特徴とする請求項２２に記載の画像表示方法。
【請求項２４】
前記スクロール制御工程は、前記表示画面上で上下方向に並んで表示されている複数の画像を上下方向にスクロール表示させることを特徴とする請求項２２に記載の画像表示方法。
【請求項２５】
請求項１４乃至２４のいずれか１項に記載の画像表示方法を前記画像表示装置のコンピュータに実行させるプログラム。
【手続補正２】
【補正対象書類名】明細書
【補正対象項目名】発明の名称
【補正方法】変更
【補正の内容】
【発明の名称】画像表示装置、画像表示方法、及びそのプログラム
【手続補正３】
【補正対象書類名】明細書
【補正対象項目名】０００１
【補正方法】変更
【補正の内容】
【０００１】
本発明は、特に、横長液晶などのワイドアスペクト比のモニタ画面を備えたデジタルカメラ、カメラ付き携帯電話などの撮像装置に用いて好適な、ワイドアスペクト比のモニタ画面を活用した画像表示装置及びそのプログラムに関する。
【手続補正４】
【補正対象書類名】明細書
【補正対象項目名】００１０
【補正方法】変更
【補正の内容】
【００１０】
本発明は上記事情に鑑みてなされたもので、画像表示装置のワイド画面（ワイドアスペクト比の表示画面）を採用し、ワイドアスペクト比の表示画面の領域を有効に活用することによって順番の連続した画像を確認しながら再生を行い、所望の画像を検索したり、鑑賞したりすることができるようにした、デジタルカメラ等に用いて好適な画像表示装置及びそのプログラムの提供を目的とする。
【手続補正５】
【補正対象書類名】明細書
【補正対象項目名】００１１
【補正方法】変更
【補正の内容】
【００１１】
上記課題を解決するため、請求項１記載の発明は、所定のアスペクト比である複数の画像を記録する記録手段と、前記所定のアスペクト比よりも大きいワイドアスペクト比の表示画面を有する表示手段と、前記記録手段に記録されている複数の画像の中から１つを選択する選択手段と、前記選択手段により選択された画像を、前記表示画面上に設定された所定のアスペクト比の主表示領域に表示するとともに、前記選択された画像の前及び又は後の画像を、前記表示画面上の残りの表示領域に設定された前記主表示領域よりも小さい副表示領域に表示する表示制御手段と、を備えたことを特徴とする画像表示装置とした。
【手続補正６】
【補正対象書類名】明細書
【補正対象項目名】００１２
【補正方法】変更
【補正の内容】
【００１２】
請求項２記載の発明は、前記前及び又は後の画像は、その一部が表示されることを特徴とする請求項１記載の画像表示装置とした。
【手続補正７】
【補正対象書類名】明細書
【補正対象項目名】００１３
【補正方法】変更
【補正の内容】
【００１３】
請求項３記載の発明は、前記スクロール制御手段は、前記表示画面上で上下方向に並んで表示されている複数の画像を上下方向にスクロール表示させることを特徴とする請求項１１に記載の画像表示装置とした。
【手続補正８】
【補正対象書類名】明細書
【補正対象項目名】００１４
【補正方法】変更
【補正の内容】
【００１４】
請求項４記載の発明は、前記表示制御手段は、前記選択した画像の前の画像と後の画像とを、前記表示画面上の、該選択した画像の両側に分けて表示することを特徴とする請求項１乃至３の何れか１項に記載の画像表示装置とした。
【手続補正９】
【補正対象書類名】明細書
【補正対象項目名】００１５
【補正方法】変更
【補正の内容】
【００１５】
請求項５記載の発明は、前記表示制御手段は、前記選択した画像の前及び又は後の画像を、前記表示画面上の、該選択した画像の片側に複数枚表示することを特徴とする請求項１乃至３の何れか１項に記載の画像表示装置とした。
【手続補正１０】
【補正対象書類名】明細書
【補正対象項目名】００１６
【補正方法】変更
【補正の内容】
【００１６】
請求項６記載の発明は、前記表示制御手段は、前記選択した画像の前及び又は後の画像を、前記表示画面上に複数枚表示するとともに、複数のサイズで表示することを特徴とする請求項１乃至３の何れか１項に記載の画像表示装置とした。
【手続補正１１】
【補正対象書類名】明細書
【補正対象項目名】００１７
【補正方法】変更
【補正の内容】
【００１７】
請求項７記載の発明は、前記表示画面上に、前記選択手段により選択された画像を表示する前記主表示領域及び前記選択された画像の前及び又は後の画像を表示する副表示領域のそれぞれの位置及び又は大きさを設定する表示領域設定手段を備えたことを特徴とする請求項１乃至６のいずれか１項に記載の画像表示装置とした。
【手続補正１２】
【補正対象書類名】明細書
【補正対象項目名】００１８
【補正方法】変更
【補正の内容】
【００１８】
請求項８記載の発明は、被写体を撮影して所定のアスペクト比の画像を得る撮像手段を備え、この撮像手段で得た画像を前記記録手段に記録させることを特徴とする請求項１乃至７の何れか１項に記載の画像表示装置とした。
【手続補正１３】
【補正対象書類名】明細書
【補正対象項目名】００１９
【補正方法】変更
【補正の内容】
【００１９】
請求項９記載の発明は、前記記録手段は、前記撮影手段で得た画像と、該画像を第１の縮小率で縮小して得られた第１縮小画像と、該画像を該第１の縮小率より縮小した第２の縮小率で縮小して得られた第２縮小画像とを関連付けて記録し、前記表示制御手段は、前記記録手段に記録されている画像の中から選択した画像の前記第１縮小画像を、前記表示画面上の前記主表示領域に表示するとともに、前記選択された画像の前及び又は後の画像の第２縮小画像を、前記表示画面の副表示領域に表示することを特徴とする請求項８に記載の画像表示装置とした。
【手続補正１４】
【補正対象書類名】明細書
【補正対象項目名】００２０
【補正方法】変更
【補正の内容】
【００２０】
請求項１０記載の発明は、前記記録手段は、前記撮影手段で撮影した画像と、その縮小画像であるサムネイルとを関連付けて記録し、前記表示制御手段は、前記記録手段に記録されている画像の中から選択した画像を、前記表示画面上の前記主表示領域に表示するとともに、前記選択された画像の前及び又は後の画像の前記サムネイルを、前記表示画面の副表示領域に表示することを特徴とする請求項９に記載の画像表示装置とした。
【手続補正１５】
【補正対象書類名】明細書
【補正対象項目名】００２１
【補正方法】変更
【補正の内容】
【００２１】
請求項１１記載の発明は、前記表示画面上に表示されている複数の画像をスクロール表示させるスクロール制御手段を備えていることを特徴とする請求項１乃至１０のいずれか１項に記載の画像表示装置とした。
【手続補正１６】
【補正対象書類名】明細書
【補正対象項目名】００２２
【補正方法】変更
【補正の内容】
【００２２】
請求項１２記載の発明は、前記スクロール制御手段は、前記表示画面上で左右方向に並んで表示されている複数の画像を左右方向にスクロール表示させることを特徴とする請求項１１に記載の画像表示装置とした。
【手続補正１７】
【補正対象書類名】明細書
【補正対象項目名】００２３
【補正方法】変更
【補正の内容】
【００２３】
請求項１３記載の発明は、所定のアスペクト比である複数の画像を記録する記録手段と、前記所定のアスペクト比よりも大きいワイドアスペクト比の表示画面を有する表示手段と、前記記録手段に記録されている複数の画像の中から１つを選択する選択手段と、を備える画像表示装置の画像表示方法であって、前記選択手段により選択された画像を、前記表示画面上に設定された所定のアスペクト比の第１の表示領域に表示するとともに、前記選択された画像の前及び又は後の画像の少なくとも一部分を、前記選択された画像より小さく前記表示画面上の残りの表示領域に表示する表示制御工程、を備えたことを特徴とする画像表示方法とした。
【手続補正１８】
【補正対象書類名】明細書
【補正対象項目名】００２４
【補正方法】変更
【補正の内容】
【００２４】
請求項１４記載の発明は、所定のアスペクト比である複数の画像を記録する記録手段と、前記所定のアスペクト比よりも大きいワイドアスペクト比の表示画面を有する表示手段と、前記記録手段に記録されている複数の画像の中から１つを選択する選択手段と、を備える画像表示装置の画像表示方法であって、前記選択手段により選択された画像を、前記表示画面上に設定された所定のアスペクト比の主表示領域に表示するとともに、前記選択された画像の前及び又は後の画像を、前記表示画面上の副表示領域に設定された前記主表示領域よりも小さい副表示領域に表示する表示制御工程、を備えたことを特徴とする画像表示方法とした。
【手続補正１９】
【補正対象書類名】明細書
【補正対象項目名】００２５
【補正方法】変更
【補正の内容】
【００２５】
請求項１５記載の発明は、前記前及び又は後の画像は、その一部が表示されることを特徴とする請求項１４記載の画像表示方法とした。
【手続補正２０】
【補正対象書類名】明細書
【補正対象項目名】００２６
【補正方法】変更
【補正の内容】
【００２６】
請求項１６記載の発明は、前記前及び又は後の画像は、縮小されて画像の全体が表示されることを特徴とする請求項１４又は１５に記載の画像表示方法とした。
【手続補正２１】
【補正対象書類名】明細書
【補正対象項目名】００２７
【補正方法】変更
【補正の内容】
【００２７】
請求項１７記載の発明は、前記表示制御工程は、前記選択した画像の前の画像と後の画像とを、前記表示画面上の、該選択した画像の両側に分けて表示することを特徴とする請求項１４乃至１６の何れか１項に記載の画像表示方法とした。
【手続補正２２】
【補正対象書類名】明細書
【補正対象項目名】００２８
【補正方法】変更
【補正の内容】
【００２８】
請求項１８記載の発明は、前記表示制御工程は、前記選択した画像の前及び又は後の画像を、前記表示画面上の、該選択した画像の片側に複数枚表示することを特徴とする請求項１４乃至１６の何れか１項に記載の画像表示方法とした。
【手続補正２３】
【補正対象書類名】明細書
【補正対象項目名】００２９
【補正方法】変更
【補正の内容】
【００２９】
請求項１９記載の発明は、前記表示制御工程は、前記選択した画像の前及び又は後の画像を、前記表示画面上に複数枚表示するとともに、複数のサイズで表示することを特徴とする請求項１４乃至１６の何れか１項に記載の画像表示方法とした。
【手続補正２４】
【補正対象書類名】明細書
【補正対象項目名】００３０
【補正方法】変更
【補正の内容】
【００３０】
請求項２０記載の発明は、前記画像表示装置は、被写体を撮影して所定のアスペクト比の画像を得る撮像手段を備え、前記記録手段は、前記撮影手段で得た画像と、該画像を第１の縮小率で縮小して得られた第１縮小画像と、該第１の縮小率より縮小率の大きい第２の縮小率で縮小して得られた第２縮小画像とを関連付けて記録し、前記表示制御工程は、前記記録手段に記録されている画像の中から選択した画像の前記第１縮小画像を、前記表示画面上の前記主表示領域に表示するとともに、前記選択された画像の前及び又は後の画像の第２縮小画像を、前記表示画面の副表示領域に表示することを特徴とする請求項１９に記載の画像表示方法とした。
【手続補正２５】
【補正対象書類名】明細書
【補正対象項目名】００３１
【補正方法】変更
【補正の内容】
【００３１】
請求項２１記載の発明は、前記記録手段は、前記撮影手段で撮影した画像と、その縮小画像であるサムネイルとを関連付けて記録し、前記表示制御工程は、前記記録手段に記録されている画像の中から選択した画像を、前記表示画面上の前記主表示領域に表示するとともに、前記選択された画像の前及び又は後の画像の前記サムネイルを、前記表示画面の副表示領域に表示することを特徴とする請求項２０に記載の画像表示方法とした。
【手続補正２６】
【補正対象書類名】明細書
【補正対象項目名】００３２
【補正方法】変更
【補正の内容】
【００３２】
請求項２２記載の発明は、前記表示画面上に表示されている複数の画像をスクロール表示させるスクロール制御工程を備えていることを特徴とする請求項１３乃至２１のいずれか１項に記載の画像表示方法とした。
【手続補正２７】
【補正対象書類名】明細書
【補正対象項目名】００３３
【補正方法】変更
【補正の内容】
【００３３】
請求項２３記載の発明は、前記スクロール制御工程は、前記表示画面上で左右方向に並んで表示されている複数の画像を左右方向にスクロール表示させることを特徴とする請求項２２に記載の画像表示方法とした。
【手続補正２８】
【補正対象書類名】明細書
【補正対象項目名】００３４
【補正方法】変更
【補正の内容】
【００３４】
請求項２４記載の発明は、前記スクロール制御工程は、前記表示画面上で上下方向に並んで表示されている複数の画像を上下方向にスクロール表示させることを特徴とする請求項２２に記載の画像表示方法とした。
【手続補正２９】
【補正対象書類名】明細書
【補正対象項目名】００３５
【補正方法】変更
【補正の内容】
【００３５】
請求項２５記載の発明は、請求項１４乃至２４のいずれか１項に記載の画像表示方法を前記画像表示装置のコンピュータに実行させるプログラムとした。
【手続補正３０】
【補正対象書類名】明細書
【補正対象項目名】００３６
【補正方法】変更
【補正の内容】
【００３６】
本発明によれば、再生時に、記録されている画像の中から選択した画像を表示するときに、ワイドアスペクト比のモニタ画面の領域を有効に活用することによって順番の連続した画像を確認しながら再生を行い、所望の画像を探したり、鑑賞したりすることができる。